(57)【要約】【課題】カーペットを清掃する際の抵抗を小さくすることにより、該カーペットに沿ってスムーズに前後動させて該カーペットを清掃することができるようにした、ブラシ式のカーペット用清掃具を提供する。【解決手段】柄１と、該柄１の先端に取り付けられた基板２と、該基板２の下面に植設されたカーペット清掃用の繊維体４と、前記基板２の下面の前記繊維体４が植設されている植設域５の左右両外側にそれぞれ配設され、清掃時に下端の当接面６ａがカーペット２０に当接するガイド部材６とを有し、前記ガイド部材６は、清掃時に前記当接面６ａがカーペット２０に押し付けられた際の押付力では変形しない程度の強度を有し、該ガイド部材６の前記基板２からの高さＨは、前記繊維体４の長さＬより小さく、該ガイド部材６の前記当接面６ａは、前記基板２の前後方向に向けて下に凸の形に湾曲する弧面である。【選択図】図１
2017060610.tif 000002
【特許請求の範囲】
【請求項１】
柄と、該柄の先端に取り付けられた基板と、該基板の下面に植設されたカーペット清掃用の繊維体と、前記基板の下面の前記繊維体が植設されている植設域の左右両外側にそれぞれ配設され、清掃時に下端の当接面が前記カーペットに当接するガイド部材とを有し、
前記ガイド部材は、清掃時に前記当接面がカーペットに押し付けられた際の押付力では変形しない程度の強度を有し、該ガイド部材の前記基板からの高さは、前記繊維体の長さより小さく、該ガイド部材の前記当接面は、前記基板の前後方向に向けて下に凸の形に湾曲する弧面をなしている、
ことを特徴とするカーペット用清掃具。
【請求項２】
前記基板は、前後長より左右長が長い長方形状をなし、前記繊維体の植設域も、前後長より左右長が長い長方形状をなし、前記ガイド部材は板状をしていて、前記繊維体の植設域の両外側に相互に平行に配設され、該ガイド部材の前後幅は、前記植設域の前後長と同等か又は該前後長より大きいことを特徴とする請求項１に記載の清掃具。
【発明の詳細な説明】
【技術分野】
【０００１】
本発明は、カーペットを繊維体によって清掃するブラシ式のカーペット用清掃具に関するものである。
【背景技術】
【０００２】
カーペットを繊維体によって清掃するブラシ式のカーペット用清掃具は、特許文献１に開示されているように公知である。この公知の清掃具は、シャフトの先端に板状の支持体を取り付け、この支持体に、板状の基材に多数の繊維状の突起物を植設して形成した清掃部材を取り付けたもので、この清掃部材を前記カーペットの表面に押し当てて前後動させることにより、前記突起物でカーペットの立毛繊維の根本などに付着した繊維屑やその他のごみを除去するものである。
【０００３】
ところが、この種のブラシ式の清掃具においては、前記突起物がカーペットに食い込んで立毛繊維に係止し易いため、抵抗が大きく、前記清掃部材をカーペットに沿ってスムーズに前後動させることが難しいという欠点があった。
【先行技術文献】
【特許文献】
【０００４】
【特許文献１】実開昭６１−２０１６５７号公報
【発明の概要】
【発明が解決しようとする課題】
【０００５】
本発明の技術的課題は、カーペットを清掃する際の抵抗を小さくすることにより、該カーペットに沿ってスムーズに前後動させて該カーペットを清掃することができるようにした、ブラシ式のカーペット用清掃具を提供することにある。
【課題を解決するための手段】
【０００６】
前記課題を解決するため、本発明の清掃具は、柄と、該柄の先端に取り付けられた基板と、該基板の下面に植設されたカーペット清掃用の繊維体と、前記基板の下面の前記繊維体が植設されている植設域の左右両外側にそれぞれ配設され、清掃時に下端の当接面が前記カーペットに当接するガイド部材とを有し、前記ガイド部材は、清掃時に前記当接面がカーペットに押し付けられた際の押付力では変形しない程度の強度を有し、該ガイド部材の前記基板からの高さは、前記繊維体の長さより小さく、該ガイド部材の前記当接面は、前記基板の前後方向に向けて下に凸の形に湾曲する弧面をなしている。
【０００７】
本発明において、前記基板は、前後長より左右長が長い長方形状をなし、前記繊維体の植設域も、前後長より左右長が長い長方形状をなし、前記ガイド部材は板状をしていて、前記繊維体の植設域の両外側に相互に平行に配設され、該ガイド部材の前後幅は、前記植設域の前後長と同等か又は該前後長より大きいことが望ましい。
【発明の効果】
【０００８】
本発明の清掃具によれば、基板に取り付けたガイド部材によって繊維体がカーペットに必要以上に深く食い込むのが防止され、該繊維体がカーペットに係止することによる抵抗が小さく抑えられるため、清掃具をカーペットに沿ってスムーズに前後動させて該カーペットを清掃することができる。しかも、前記ガイド部材の当接面は下に向けて凸形に湾曲しているため、前記清掃具の前後動に伴って柄の傾斜角度が変化しても、前記繊維体による抵抗が変化することがない。
【図面の簡単な説明】
【０００９】
【図１】本発明に係るカーペット用清掃具の一実施形態を示す正面図である。
【図２】図１の側面図である。
【図３】図１の要部拡大図である。
【図４】図３の下面図である。
【図５】図３の側面図である。
【発明を実施するための形態】
【００１０】
図１及び図２は本発明に係るカーペット用清掃具の一実施形態を示すもので、この清掃具は、基端にグリップ部１ａを有する操作用の柄１と、該柄１の先端に固定的に取り付けられたヘッド２とを有している。
【００１１】
図３−図５からも明らかなように、前記ヘッド２は、前後長より左右長が長い平面視長方形状をなす基板３と、該基板３の下面に植設されたカーペット清掃用の繊維体４と、前記基板３の下面の前記繊維体４が植設された植設域５の左右両外側の位置にそれぞれ取り付けられ、清掃時に下端の当接面６ａがカーペット２０に当接する一対のガイド部材６とを有している。
【００１２】
前記基板３の上面の長手方向の中央部には、筒状をした柄取付部８が、該基板３の後方（手前側）に向けて４５度前後傾斜した状態に形成され、該柄取付部８に前記柄１の先端が挿入されて螺子９で固定されることにより、該柄１と前記ヘッド２とが相互に連結されている。
【００１３】
前記基板３は硬質の合成樹脂によりほぼ平板状に形成され、前記繊維体４も、合成樹脂により、カーペット２０の立毛繊維の根本等に付着した繊維屑などのごみを弾性的に掻き出し得る程度の剛弾性を有するように形成されている。前記繊維体４は、複数の該繊維体を円柱状に束ねた状態で前記基板３の下面に垂直に植設されていて、その植設域５は、前後長Ｎより左右長Ｍが長い長方形状であるが、この植設域５の前後長Ｎ及び左右長Ｍは、前記基板３の前後長Ｙ及び左右長Ｘよりそれぞれ若干小さい。
【００１４】
また、前記繊維体４が前記基板３から下方に突出する長さ即ち繊維長Ｌは、全ての繊維体４で等しく、従って、該繊維体４の先端は、前記基板３の下面と平行する平面上に全て位置していることになる。しかし、前記繊維体４は、前記基板３の下面に、該基板３の前後方向に向けて次第に先広がり状をなすように若干傾斜させて植設しても良く、また、前記繊維体４の先端によって形成される面を、前記基板３の前後方向に向けて下に凸形の曲面（弧状面）に形成することもできる。
【００１５】
前記ガイド部材６は、合成樹脂により板状に形成されたもので、一対のガイド部材６が、前記基板３の下面の前記繊維体４の植設域５の両外側の位置に、該基板３に対して垂直をなし且つ相互に実質的に平行をなすように配設されている。前記ガイド部材は、清掃時に前記当接面６ａがカーペット２０に押し付けられた際の押付力では変形しない程度の強度を有していることが望ましく、また、前記当接面６ａは、その表面を滑らかな面とすることにより、前記カーペット２に沿って滑り易くなっていることが望ましい。
前記ガイド部材６を形成する合成樹脂は、硬質の合成樹脂であっても、ゴム弾性を有する合成樹脂であっても良い。
【００１６】
前記ガイド部材６の厚さＴは、その下端側即ち前記当接面６ａ側に行くに従って次第に薄くなるように形成されていて、基端部の最大厚さは前記基板３の厚さＴ３より薄く、また、該ガイド部材６の前後幅Ｗは、前記当接面６ａ側に行くに従って次第に小さくなるように形成されていて、上端部における最大前後幅は、前記基板３の前後長Ｙよりやや小さく、且つ、前記繊維体４の植設域５の前後長Ｎと同じかそれよりやや大きく形成されている。
【００１７】
さらに、前記ガイド部材６が前記基板３から突出する高さＨは、前記繊維体４が前記基板３から突出する長さ即ち繊維長Ｌより小さく、前記ガイド部材６の下端の前記当接面６ａは、前記基板３の前後方向に向けて下に凸の形に湾曲する円弧面に形成されている。該円弧面即ち当接面６ａは、前記ガイド部材６を前後幅方向に二分する仮想平面Ｓに対して対称をなしており、従って前記ガイド部材６も、前記仮想平面Ｓに対して対象をなしている。また、図示した例では、前記ヘッド２全体も、前記柄取付部８を除き、前記仮想平面Ｓに対して対象をなすように形成されている。
【００１８】
しかし、前記ガイド部材６の厚さＴ及び前後幅Ｗのうち少なくとも一方は、全体的に均一であっても良く、また、前記当接面６ａは、完全な円弧状をしている必要はなく、弧状に湾曲していれば良い。
【００１９】
前記構成を有する清掃具でカーペット２０を清掃するときは、前記柄１を持って繊維体４の先端を前記カーペット２０の表面に押し付け、その状態でヘッド２を前後動させることにより、カーペット２０の表面や立毛繊維の根本などに付着した繊維屑やその他のごみを、前記ヘッド２の前後動に応じて先端部分が前後に弾性変形する前記繊維体４で弾力的に掻き集めて除去する。
【００２０】
このとき、前記ガイド部材６の下端の当接面６ａが前記カーペット２０に当接し、該カーペットに沿って滑動することにより、前記繊維体４の先端部が前記カーペット２０の内部即ち前記立毛繊維の間に食い込む長さは、最大で該繊維体４の繊維長Ｌと前記ガイド部材６の高さＨとの差分だけに制限され、それにより、該繊維体４が前記立毛繊維に係止することによる抵抗は小さく抑えられるため、前記ヘッド２をカーペット２０に沿ってスムーズに前後動させて該カーペット２０を清掃することができる。
【００２１】
しかも、前記ガイド部材６の当接面６ａは、下に向けて凸形をした円弧状に湾曲しているので、前記ヘッド２の前後動に伴って前記柄１の操作角度が変化しても、その変化は前記当接面６ａによって吸収され、前記柄１の角度によって前記繊維体４がカーペットに食い込む長さが大きく変わることがないため、常にほぼ一定の抵抗を維持しながら清掃を行うことができ、前記ガイド部材６の角部がカーペット２０に引っ掛かったりすることもない。
【符号の説明】
【００２２】
１      柄
３      基板
４      繊維体
５      植設域
６      ガイド部材
６ａ      当接面
２０      カーペット
Ｘ      基板の左右長
Ｙ      基板の前後長
Ｍ      植設域の左右長
Ｎ      植設域の前後長
Ｌ      繊維長
Ｗ      ガイド部材の前後幅
Ｈ      ガイド部材の高さ
【図１】
2017060610.tif 000003
【図２】
2017060610.tif 000004
【図３】
2017060610.tif 000005
【図４】
2017060610.tif 000006
【図５】
2017060610.tif 000007